(57)【特許請求の範囲】
【請求項１】
底壁の両側に前壁と後壁を有し、前壁の上部前壁部と下部前壁部との間に外側から内方に凹没する開口部を長手方向に渡って設けた軒樋であって、上部前壁部の下部に水切りを設け、その水切りの下端が下部前壁部上端より後壁側にあり、かつ、下部前壁部上端に長手方向に渡って、水に濡れると体積を増し、開口部の深さが大きくなる補助部材を取り付けたことを特徴とする軒樋。
【発明の詳細な説明】
【０００１】
【発明の属する技術分野】
この発明は、軒樋に関する。
【０００２】
【従来の技術】
近年、軒樋と屋根の軒先との一体感を出して外観をよくするため、軒樋の前壁を高くした軒樋が多く提供されている。ところが、前壁を高くすると前壁の外面で多くの雨水が受けられ、この雨水が前壁をつたって大きな水滴になり、軒樋から直接下方に落下し窓庇に当たって発音したり、直接地面に落ちて地面に穴をあけたり、その水が跳ねて基礎を汚す等の問題点がある。
【０００３】
この問題点を解決する軒樋が特開平８−４２０８４号公報に記載されている。これは図３に示すように軒樋１の上部前壁部２１に内側に屈曲した、長手方向に延びる水止め部６を形成し、この水止め部６に導水口６１を設けている。
特開平８−４２０８４号公報の軒樋１は、軒樋１から直接下方に落下する水滴は殆どなくなるが、水止め部６で受けた雨水を軒樋１内に導くために導水口６１が多数設けられており、軒樋１を単純な押し出し成形では製造できないという難点があり、かつ軒樋の強度が弱くなるという問題がある。
【０００４】
そこで，生産性に優れ、かつ軒樋の強度が弱くならないものとして、特開平９−８８２５９号公報に示される軒樋が提供されている。これは図４に示すように、軒樋１の前壁２の上部前壁部２１と下部前壁部２２との間に開口部３を長手方向に渡って設け、長手方向の端部に止水器７を装着してある。上部前壁部２１の外面で受けた雨水を開口部３に流し、開口部３に流した雨水を開口部３の長手方向の端部から止水器７内を介して軒樋１内に導くものである。
【０００５】
【発明が解決しようとする課題】
特開平９−８８２５９号公報の軒樋は、上部前壁部２１の外面で受けた雨水を開口部３内に流す構造になっているが、図５に示すように、上部前壁部先端２１１と下部前壁部上端２２１とが略垂直線上にあり、一定量以上の雨量の場合、上部前壁部２１の外面で受けた雨水は上部前壁部先端２１１から落下するため、全ての雨水を開口部３に流すのは困難である。
また、開口部３の深さは一定のため、雨量が多く、開口部３に導かれる雨水の量が多いと雨水が開口部３から溢れることがある。
【０００６】
本発明は上述の問題点に鑑みてなされたものであって、軒樋において、雨量が多い場合にも、軒樋から直接下方に大きな水滴が落ちず、生産性に優れ、かつ強度が弱くならないようにすることを目的とする。
【０００７】
【課題を解決するための手段】
上記問題点を解決するため、請求項１記載の本発明は、底壁の両側に前壁と後壁を有し、前壁の上部前壁部と下部前壁部との間に外側から内方に凹没する開口部を長手方向に渡って設けた軒樋であって、上部前壁部の下部に水切りを設け、その水切りの下端が下部前壁部上端より後壁側にあり、かつ、下部前壁部上端に長手方向に渡って、水に濡れると体積を増し、開口部の深さが大きくなる補助部材を取り付けたものである。
【０００８】
水に濡れると体積を増す物質としては，一般には高吸水性樹脂が知られていて、ポリアクリル酸ナトリウム架橋体、ポリビニルアルコール架橋体、でんぷん−アクリル酸グラフト共重合体等が好適である。補助部材は軒樋前壁の下部前壁部上端に接着等によって取り付けることができる。
【０００９】
【作用】
請求項１記載の軒樋においては、前壁の上部前壁部の外面で受けられた雨水は、上部前壁部の下部の水切りに導かれ水切りの下端から落下する。その水切りの下端は下部前壁部上端より後壁側にあるため、落下した雨水はほとんど全て開口部に流れ込む。その結果、雨量が多い場合でも軒樋から直接下方へ落下する水滴の量はごく少ない。
開口部に流れ込んだ雨水は、軒樋の長手方向に流れる。そこで、開口部の雨水の排水のためには、軒樋の長手方向の端部で軒樋内部に導いたり、縦樋で排出すればよい。雨水を軒樋内部に導く方法としては、軒樋の長手方向の端部において開口部の底から軒樋内部に貫通孔を設けたり、開口部の底を切り欠く等の公知の技術が採用できる。
そのため、開口部から軒樋内部に向けて多くの貫通孔を設ける必要がないので、軒樋の生産性がよく、強度が低下することがない。
【００１０】
また、前壁の下部前壁部上端に水に濡れると体積を増し、開口部の深さを大きくする補助部材を取り付けてある。水に濡れると補助部材の体積が増し、開口部の深さが大きくなる。そのため、雨量が多くても前壁の上部前壁部の外面で受けた雨水を補助部材が無い場合に比べてより多く開口部から排水できる。
【００１１】
【発明の実施の形態】
以下、本発明の実施の形態を図面に基づいて説明する。
図１は本発明における軒樋の第１実施例を示す断面図、図２は図１の軒樋の使用状態を示す断面図である。
【００１２】
軒樋１は塩化ビニ−ル樹脂製で、前壁２と後壁４と底壁１０とを有する図１に示す断面形状であって、前壁２は上部前壁部２１と下部前壁部２２とで形成されており、上部前壁部２１は上方へ行くにしたがって後壁４側へ傾く傾斜面とされ、下部前壁部２２は下方へ行くにしたがって後壁４側に傾く傾斜面とされている。
上部前壁部２１の上端部には前部耳部８を長手方向に渡って設けてあり、後壁４の上端には後部耳部９が長手方向に渡って設けてある。
上部前壁部２１と下部前壁部２２との間には外側から内方に凹没する開口部３を長手方向に渡って設けてあり、上部前壁部２１の下部には水切り２１２がその下端を下部前壁部２２の上端２２１より後壁４側になるように設けてある。
下部前壁部２２の上端２２１に長手方向に渡って水に濡れると体積を増す補助部材２１３を接着してある。補助部材はポリアクリル酸ナトリウム架橋体を用いてある。ポリアクリル酸ナトリウム架橋体は水に濡れると体積を増す高吸水性樹脂である。
図２に示すように、軒樋１は吊り具５により前部耳部８と後部耳部９とを利用して軒先に取り付けられる。吊り具５はポリカ−ボネ−トによって成形されている。
【００１３】
上記の断面形状を有する軒樋１の上部前壁部２１の外面で受けた雨水は水切り２１２に導かれ、その下端から開口部３に落下する。水切り２１２の下端は下部前壁部２２の上端２２１より後壁側に設けてあるので、上部前壁部２１の外面で受けられた雨水は水切り２１２の先端に導かれ、その雨水はほとんど全て開口部３に落下する。開口部３の雨水は、長手方向に流れ、開口部３の端部導水口（図示せず）から軒樋１の内部に導かれる。
【００１４】
上部前壁部２１の外面で受けた雨水は水切り２１２により開口部３に落下するが、雨量が多い場合にも、補助部材２１３が水に濡れて体積を増し、開口部３の深さが大きくなるため、雨水が開口部３からあふれることなく長手方向に流れ、開口部３の端部導水口３１から軒樋１内部に導かれる。
【００１５】
以上、本発明の実施例を図面により説明したが、本発明の具体的構成はこの実施例に限られるものではなく、本発明の趣旨を逸脱しない範囲の設計変更等があっても本発明に含まれる。
【００１６】
例えば、軒樋の材質はポリエチレンやポリプロピレン等の合成樹脂や鋼板のような金属板の両面に合成樹脂を被覆したものでもよい。
【００１７】
【発明の効果】
請求項１記載の軒樋においては、上部前壁部の外面で受けられた雨水は水切りに導かれその下端から開口部にほとんど全て落下し、雨水が大きな水滴になって軒樋から直接下方に落下し窓庇に当たって発音したり、直接地面に落ちて地面に穴をあけたり、その水が跳ねて基礎を汚すということがない。
開口部から軒樋内部へ雨水を導くために、軒樋の長手方向の端部において開口部の底部から軒樋内部に貫通孔を設けたり、開口部の底部を切り欠くだけでよいので、生産性に優れ、かつ強度が弱くなることがない。
また、前壁の下部前壁部の上端に長手方向に渡って、水に濡れると体積を増し、開口部の深さが大きくなる補助部材を取り付けてあるので、開口部を流れる雨水の量が多くなっても、雨水が溢れることがない。
【図面の簡単な説明】
【図１】本発明における軒樋の第１実施例の断面図である。
【図２】図１の軒樋の使用状態を示す断面図である。
【図３】従来の軒樋の斜視図である。
【図４】従来の軒樋の斜視図である。
【図５】従来の軒樋の断面図である。
【符号の説明】
１  軒樋
２  前壁
２１  上部前壁部
２２  下部前壁部
２１１  上部前壁部先端
２１２  水切り
２１３  補助部材
２２１  下部前壁部上端
３  開口部
３１  端部導水口
４  後壁
５  吊り具
６  水止め部
６１  導水口
７  止水器
８  前部耳部
９  後部耳部
１０  底壁
【図１】
0004018812.tif 000002
【図２】
0004018812.tif 000003
【図３】
0004018812.tif 000004
【図４】
0004018812.tif 000005
【図５】
0004018812.tif 000006